(57)【要約】【課題】      環境問題の少ない燃料を用い、安全に使用できて、目詰まりや使用時の衣服汚染を起こすことが少なく、着色燃焼炎の発現を可能とするアルコールライターを提供する。【解決手段】    本発明は、アルコールを燃料とするライターであって、着火機構、燃料を貯留しうる燃焼部及び燃料室から構成され、燃料室から燃焼部への燃料供給手段を備えたアルコールライターを提供する。前記燃焼部に炎色着色性元素を存在させたことにより着色燃焼炎を得る態様は、本発明の好ましい態様である。【選択図】    図１
2007085580.tif 000002
【特許請求の範囲】
【請求項１】
アルコールを燃料とするライターであって、着火機構、燃料を貯留しうる燃焼部及び燃料室から構成され、燃料室から燃焼部への燃料供給手段を備えたアルコールライター。
【請求項２】
燃料供給手段が、燃料室を加圧することによって、燃料を燃焼部に供給する手段であることを特徴とする請求項１に記載のアルコールライター。
【請求項３】
着火に先立ち、予め燃料を燃焼部に供給した後着火する構造であることを特徴とする請求項１または２に記載のアルコールライター。
【請求項４】
燃料供給手段が、着火機構の作動と連動して燃料を燃焼部に供給する手段であることを特徴とする請求項１または２に記載のアルコールライター。
【請求項５】
前記燃焼部に炎色着色性元素を存在させたことを特徴とするアルコールライター。
【請求項６】
前記燃焼部が、炎色着色性元素を含有する素材を構成成分として含むことを特徴とする請求項５に記載のアルコールライター。
【請求項７】
燃焼部を着脱自在の構造とした請求項１〜６のいずれかに記載のアルコールライター。
【発明の詳細な説明】
【技術分野】
【０００１】
本発明は、着色炎の発現を可能とするアルコールライターに関する。さらに詳しくは、燃料供給手段、燃焼部及び着火機構を備えた着色炎を可能とするアルコールライターに関する。
【背景技術】
【０００２】
液体燃料ライターの燃料としては、エチルアルコール等のアルコール燃料、石油ベンジン系のベンジン燃料、ブタンガス、プロパンガス等の液化ガス燃料が利用されている。
液化ガス燃料の場合には、ライターの使用温度範囲でガス圧が高いために、燃料を貯蔵するために、容器は耐圧構造とする必要があり、また温度変化によってガス圧が変動するために、炎長の変化が大きいという問題がある。そのために温度による変化を補正する手段を有する燃料供給機構を要するので、構造が複雑になるとともにコストがかかる。
【０００３】
既存の加圧ガスを利用する携帯用簡易ガスライターは、使用部材の劣化によって事故が頻繁に発生しているため、平成１７年６月より財団法人製品安全協会がＳＧマークへの基準が強化されるなど、危険を回避して安全に使用できるガスライターを目指す対策が必要とされているのが現状である。
【０００４】
アルコール燃料等の液体燃料は常温で液体であり、蒸気圧も比較的低く燃料貯蔵部の耐圧容器が不要であるため、ライターの構造の簡素化が実現でき、コスト面で有利となる。液体燃料として、アルコールを用いるアルコールライターでは、アルコールを燃料貯蔵部から燃焼部へ供給する手段として、一般には、アルコールの表面張力を利用して、連続細孔または細い繊維を束ねた細隙を毛管現象により吸い上げ、先端部で燃焼させる燃焼芯が使用されている（特開平８−２９１７１４号公報）。
【０００５】
液体燃料がアルコールの場合には、その燃焼炎は無色で炎を目視し難いため、明るい場所での着火燃焼状態の確認が困難であるという問題を有している。燃焼炎に着色する目的のためには、アルコール類を主成分とし、この主成分とほぼ同じ沸点を有するヘキサン、ヘプタンなどの炭化水素化合物を炎色剤として添加した燃焼器具用液体燃料が提案されている。（特開平１０−８８１５６号公報）
【０００６】
一方金属元素を用いた炎色着色を利用して燃焼炎に着色する方法としてアルコール燃料に炎色着色剤を溶解する方法が提案されている（特開昭５９−１５５４８０号公報、実開平１−１０１０７１号公報、特開平４−１１７４９３号公報など）。これらの提案では、炎色着色剤としては、酸化第２銅、塩化ストロンチウム、炭酸カリウム、硝酸リチウム、塩化リチウム、ホウ酸エステル、臭化リチウム、炭酸セシウムなどの炎色反応を示すと共にアルコールに溶解する金属塩が用いられている。
【０００７】
従来公知のアルコールライターに、上記のような金属塩を炎色剤としてアルコールに添加した液体燃料を使用すると、アルコールを毛細管現象によって燃焼芯で吸い上げ、その先端部に着火する構造であるため、その燃焼に伴い順次アルコール燃料と共に吸い上げられた炎色剤が燃焼芯の表面に析出し、この析出した金属塩によって燃焼芯の目詰まりが発生する。この目詰まりにより、燃焼芯における燃料の吸い上げが低下してついには着火不良に至る。さらには燃料が液漏れしたときに、金属塩によってライター部材が腐食したり、使用者の衣服を汚したりするなどの不都合が生じるおそれがあった。
【０００８】
本発明者らは、アルコールライターであって、従来公知のアルコールライターが抱える問題点を解消し、所望の着色炎を容易にかつ安全に得ることを可能とする新たな形式のライターの開発に鋭意努力した結果、本発明に到達したものである。
【０００９】
【特許文献１】特開平８−２９１７１４号公報
【特許文献２】特開平１０−８８１５６号公報
【特許文献３】特開昭５９−１５５４８０号公報
【特許文献４】実開平１−１０１０７１号公報
【特許文献５】特開平４−１１７４９３号公報
【発明の開示】
【発明が解決しようとする課題】
【００１０】
本発明は、毛細管現象によってアルコールを吸い上げるような燃焼芯を用いない新たな形式のアルコールライターを提供するものである。
本発明は、安全に使用できて、目づまりや使用時の衣服汚染を起こすことが少なく、着色燃焼炎の発現を可能とするアルコールライターを提供する。
本発明は、環境問題の少ない燃料を用い、目づまりや、使用時の衣服汚染が少なく、かつ着色炎の発現を可能とするアルコールライターを提供する。
【課題を解決するための手段】
【００１１】
本発明は、アルコールを燃料とするライターであって、着火機構、燃料を貯留しうる燃焼部及び燃料室から構成され、燃料室から燃焼部への燃料供給手段を備えたアルコールライターを提供する。
【００１２】
前記燃料供給手段が、燃料室を加圧することによって、燃料を燃焼部に供給する手段であるアルコールライターは、本発明の好ましい態様である。
【００１３】
前記アルコールライターが、着火に先立ち、予め燃料を燃焼部に供給した後着火する構造であるアルコールライターは、本発明の好ましい態様である。
前記燃料供給手段が、着火機構の作動と連動して燃料を燃焼部に供給する手段であるアルコールライターもまた本発明の好ましい態様である。
【００１４】
前記燃焼部に炎色着色性元素を存在させたアルコールライターは、本発明の好ましい態様である。
【００１５】
前記アルコールライターが、燃焼部を着脱自在の構造としたアルコールライターは、本発明の好ましい態様である。
【発明の効果】
【００１６】
本発明により、毛細管現象によってアルコールを吸い上げるような燃焼芯を用いない新たな形式のアルコールライターが提供される。
本発明により、事故の心配がなく安全に使用できて、目詰まりを起こすことなく継続使用が可能となるアルコールライターが提供される。
本発明により自在の燃焼炎を得ることを可能とするアルコールライターが提供される。
本発明により提供されるアルコールライターは、環境問題の少ない燃料を用い、目詰まりや使用時の衣服汚染が少なく、かつ着色炎の発現を可能とするアルコールライターである。
【発明を実施するための最良の形態】
【００１７】
本発明は、アルコールを燃料とするライターであって、着火機構、燃料を貯留しうる構造である燃焼部及び燃料室から構成され、燃料室から燃焼部への燃料供給手段を備えたアルコールライターを提供する。
【００１８】
燃料のアルコールとしては、エチルアルコール、メチルアルコール、プロピルアルコール等の低級１価アルコールが常温で液体であり、蒸気圧も比較的低く、燃料貯蔵部および燃焼芯に対する密閉はアルコールが揮散しない程度の密閉構造でよいので、燃焼器具の構造の簡素化、コスト面で有利であるから、炭素数１〜４程度の低級１価アルコールが好ましい。煙草に着火する際にはアルコールを吸引する可能性があることから、メチルアルコールは人体に対する毒性を考慮する必要があり、またプロピルアルコールおよびさらに高級アルコールになると、特有の臭気を有する。これらの点から、燃料としてはエチルアルコールを使用するのが好ましい。
【００１９】
本発明の着火機構は、ヤスリ車と石との摩擦で発生する火花で着火する火打石方式であってもいいし、放電によって着火する電子式着火方式であってもよい。電子式着火方式では、電極部材が下方に押圧されると共に、圧電ユニットが駆動し、それによって放電のための電極と、放電のための他方の電極との間で放電作用がなされる機構となっているので、この方式を採用する場合、燃焼部の材質を放電可能な電極となる金属製にするか、放電のための電極を設ける必要がある。
【００２０】
本発明の燃焼部は、着火機構と相対する位置にあって、燃料室から燃料供給手段によって供給される燃料を貯留し得る構造のものである。燃料室から燃料供給手段によって供給される燃料は、１回に燃焼する量に相当する量が供給されるよう設定されていることが好ましいが、エタノールで言えばその１滴ないし数滴程度の量である。因みにエタノールの１滴はほぼ０．０３ｍｌ程度であることが知られている。
【００２１】
燃焼部の形状は、燃料を貯留できればいかなる形状であってもよい。例えば、皿状、筒状等任意に選択できるが、着火機構と対向して、燃料を点火しやすくするという観点からは、着火機構に対して開放された形状であることが好ましい。後記で図を用いて詳述するが、図１〜３では、燃焼部は半円筒状部を有する円筒状をしている。燃焼部は円筒状の上部が半円筒状となって、燃焼部の着火機構に対する面に、切れ込みを入れた形状となっているが、これは燃料が着火しやすくするためであって、燃焼部の好ましい形状である。
本発明の燃焼部は、中空形状であってもいいし、中にガラスウールや不燃性不織布などを充填して、燃料を含浸させることができる構造であってもよい。
【００２２】
本発明の燃料供給手段は、従来公知のエタノールライターのように毛管現象により吸い上げるものではなく、燃料室から強制的に燃料を燃焼部に供給することができる手段である。燃料供給手段は、特に制限はなく従来公知の液体供給手段から適宜採用することができるが、本発明においては、燃焼部において燃料が着火毎に燃焼する量に相当する燃料を供給することができる手段であることが好ましい。
本発明の燃料供給手段の好適な例としては、燃料室加圧方式、液体ポンプ方式、流量コントロール方式などを挙げることができる。
【００２３】
燃料室加圧方式は、燃料室を加圧することによって、燃料が燃料供給管を経て燃焼部に供給する燃料供給手段である。燃料室を加圧するには、手動であってもよいし、ガス圧などの加圧媒体を利用することもできる。
【００２４】
燃料室から燃焼部への燃料の供給は、燃料供給管を通じて行なうことができる。燃料供給管には、弁構造を設けて燃料供給手段の作動時にのみ弁が開く構造とすれば、急激な温度上昇などで燃料室の圧力が上昇しても、燃料が不必要に燃焼部に流出することを防ぐことができる。
【００２５】
燃料供給手段を作動させる態様としては、着火に先立ち作動部材を押し下げて燃料を燃料部に供給しておくなどして、予め燃料を燃焼部に供給した後着火する態様を採用することができる。また、着火機構を作動させる動作である、電子式着火方式で発電部材を押し下げる動作、または火打石方式でヤスリ車を回転させる動作と連動して、燃料供給手段を作動させるように工夫することもできる。
【００２６】
前記燃焼部に炎色着色性元素を存在させることによって、燃焼炎に任意の着色をすることができる。炎色着色性元素は、アルコールまたは水と接触することによって容易にイオン化しその結果、燃焼炎に鮮やかな着色を発現するのである。したがって、燃料のアルコールは無水である必要はない。
【００２７】
燃焼部に炎色着色性元素を存在させるには、燃焼部の構成材料に炎色着色性元素を含有させることによって達成することができる。たとえば、先に説明したような半円筒部を有する円筒体の少なくとも内表面に、炎色着色性元素を含有するガラスウールを貼った構成とした燃焼部は、本発明の燃焼部の好ましい態様である。
【００２８】
燃焼部に存在する炎色着色性元素が、リチウムである場合は深赤色の燃焼炎が形成され、ナトリウムの場合は黄色の燃焼炎が形成される。また、カリウムの場合は淡紫色、カルシウムの場合は黄赤色、ストロンチウムの場合は赤色、バリウムの場合は淡黄色、銅の場合は濃緑色、ホウ素の場合は緑色、ルビジウムを含む場合は深赤色、ラジウムを含む場合は深紅色、セシウムの場合は青紫色、モリブデンの場合は黄緑色、ガリウムの場合は紫青色、コバルトの場合は青色、金の場合は赤色の燃焼炎が形成される。
燃焼部に存在する炎色着色性元素を適宜選択することによって、異なった色の燃焼炎を得ることができるので、燃焼炎を楽しむという趣の深いライターが提供される。
【００２９】
また、燃焼部を着脱自在の構造として、存在する炎色着色性元素がことなる燃焼部を複数備えることによって、使用時のライター使用者の好みに合わせて、望みの色の燃焼炎を実現するということも可能である。
また、燃焼部に充填するガラスウールに、炎色着色性元素を含有させておき、この充填物を取り替えることによっても、所望の燃焼炎を発現させることが可能となる。
【００３０】
本発明において、着火機構、燃焼部、燃料室及び燃料供給手段の配置には特に制限はない、着火機構と燃焼部が相向する位置であれば、それぞれの位置関係は任意に選択することができる。
【００３１】
本発明のアルコールライターを、図を用いてより具体的に説明する。図１は、燃料室１と、燃焼部２と、ヤスリ車と石との摩擦で発生する火花で着火する火打石方式の着火機構３と、加圧方式の燃料供給手段４と、蓋体５からなるアルコールランプを示している。
【００３２】
図１の燃料室１は、燃料容器となる側部及び底部壁体１１と、上部に形成された上蓋１２からなっている。燃料室１内には、燃料供給管２１が挿入されており、燃料供給管１３は、燃料供給管支持体１４によって固定されている。燃料室１内の燃料はこの燃料供給管１３を介して上方に供給される。上記燃料供給管１３はその上端が燃料溜め１５に連結している。燃料溜め１５の上方にフィルターを装着して、フィルターを介して燃料を供給する構造とすることは差し支えない。
【００３３】
上蓋１２には、燃料部固定部材２１が配置されていて、この燃料部固定部材２１は、上蓋１２に対して螺合して固定されている。
上記燃料供給管１３の上方には、燃料部支持管２２が配置されている。この燃料支持管２２の下端開口部には、弁体としての釘ゴム２３が装着されている。燃料部支持管２２の下部には開口部２３が形成されていると共に、上端開口は燃焼部２の下端へと連結している。燃料部固定部材２１と燃料部支持管２２との間には、シールリング２４が装着されていると共に、該シールリング２４の下方にはスプリング２５が装着されている。燃料部支持管２２はこのスプリング２５のスプリング力によって常時下方に押し付けられているので、燃料が燃焼部２３側に漏れ出すことはない。
【００３４】
図１では燃焼部２対向して着火機構３が配設されている。着火機構として、図１ではヤスリ車と石との摩擦で発生する火花で着火する火打石方式が採用されている。この着火機構は上蓋１２に固定されるブラケット３１内に上下方向に移動可能に発火石３２が挿入され、ブラケット３１の上端には回転ヤスリ３３が設けられ、該ヤスリ３３の周面に発火石３２の先端が石押しスプリング３４の付勢力によって押圧される構造に設けられ、回転ヤスリ３３の回転操作によって燃焼部２に向けて火花が飛ぶように設けられている。
【００３５】
図１の４は、燃料供給手段である。燃料供給手段４は、操作部材４１と加圧室４２と、操作部材４１に連結するレバー４３とからなり、操作部材４１下部にはスプリング４６が取り付けられており、スプリング４６のスプリング力によって常時操作部材４１は情報に付勢されている。レバー４３の下端には弁材ゴム４４が装着されている。加圧器４２の気室４５には通常気体が充満しており、操作部材４１を押圧・操作すると、レバー４３が下方に移動する結果、気室４５の気体が燃料室１中に押出される。そのため、燃料室１はその瞬間僅かに加圧される。加圧される結果、燃料アルコールは、燃料供給管１３を上昇しようとする。
【００３６】
操作部材４１の下部にテコ４７が装着されており、テコの多端は支点を介して、燃焼部支持管２２の凹部２７と係合している。操作部材４１が押圧されると、テコ４７が押し下げられるため、その反動でテコの多端は上方に移動する結果、燃焼部支持管２２がスプリング２５のスプリング力に抗して上方に移動させられ、弁体の釘ゴム２３も上方に移動することになる。それによって、燃料の流路が開放され、燃料アルコール燃焼部２３の下端開口部より燃焼部２３に供給され貯留されるのである。
このようにして、燃料供給手段によって、燃料を燃焼部に貯留させてから、着火機構のヤスリ３３を回転させて燃焼部２に向けて火花が飛ばすことによって点火することができる。
【００３７】
燃料供給手段４を設置する位置には特に制限がないが、図１に示すアルコールライターにおいては、燃料アルコ−ルを燃料供給手段４燃焼部に供給した後、着火機構３を操作して燃料に点火するので、燃焼部と着火機構を結ぶ線からはずれた位置で、着火機構よりの地点付近が好適であろう。
【００３８】
また、図１のアルコールライターには、上方を開閉可能に覆うキャップ５が設けられている。このキャップ５は上記上蓋４の上面の一端部にピン５１によって回動可能に枢支されている。上記キャップ５と燃料室１の上蓋１２との当接部分にはシール材が介装されて気密化され、液体燃料の蒸発が防止される構造となっている。
燃焼部への燃料供給量は、前記したように燃焼１回分に相当する量に調整することが可能であるので、通常はこのような量が都度燃焼部に供給されて燃焼し尽すが、必要があればキャップ５を閉じることによって、燃焼部の燃料の燃焼を停止させることができる。
【００３９】
図２は、着火機構として、電子式着火方式を採用したアルコールライターを示す図である。図２の着火機構３は、操作部材３５を下方に押圧・操作すると、電極部材３６が下方に付勢されると共に、圧電ユニットが駆動され、それによって、放電のための一方の電極として機能する電極部材３６と、放電のための他方の電極との間で放電作用がなされる機構となっている。図２の燃焼部２には、電極となる金属が備えられているので、電極部材３６と燃焼部２との間で放電が起こり、それによって放電火花が発生して、燃焼部の燃料に点火する。
【００４０】
図２の燃料供給手段４は、着火機構３は、操作部材３５を下方に押圧・操作することによって作動するように設置されている。図２では、操作部材３５を下方に押圧・操作すると、電極部材３６が下方に付勢されるのに連動してテコ４８が作動する仕組みとなっており、操作部材３５を下方に押圧・操作すると、燃焼部支持管２２がスプリング２５のスプリング力に抗して上方に移動させられるので、操作部材３５を下方に押圧・操作すると、図１の操作部材４１を押圧したときと同様にして、燃料が燃料部２に供給されるととに、電極部材３６と燃焼部２との間で放電火花によって、燃焼部の燃料に点火される。
図２にも、キャップが設けられるが、図２では図示を省略した。
【００４１】
図３は、図１に示した火打石方式の着火機構を採用したアルコールライターにおいて、回転ヤスリ３３を回転させる動作と同時に、燃料供給手段を作動させる態様を示したものである。図３において、着火機構３の回転ヤスリ３３を操作する側に、操作部材３７が設けられている。操作部材は、水平板の下部に柱形部材３８が連結しており、３８の下部にはスプリング３９が設けられており、スプリング力によって操作部材３７は常に柱形部材３８を介して上方に付勢されている。
【００４２】
また、柱形部材３８にはテコ４９の一端が固定されており、テコ４９は支点を介して燃料支持管２２の凹部２７と連結している。さらにテコ４９の支点より着火機構寄りの位置に、燃料供給手段４のレバーが連結されている。
したがって、操作部材３７を下方に押圧することによって、燃料支持管２２を押し上げ、かつ燃料供給装置４を作動させることになる。その結果、燃料が燃料部に供給され、ヤスリ３３を回転させて燃焼部２に向けて火花を飛はすことによって燃料に点火することができる。
【００４３】
図３のアルコールライターにも任意にキャップを設けることができる。キャップを設ける位置もまた任意に選択できる範囲である。例えば、燃料室の側壁を上方に延長して、キャップの深さを減少させたライターとすることもできる。
【００４４】
上述の図を用いる説明では、作動部材を下方に押し下げる動作によって、燃料室を加圧して燃料を燃焼部に供給する方式を主として用いたが、燃料室の加圧に代えて液体ポンプを作動させる機構とすることによっても、燃料を燃焼部に供給させることができる。図４には、このような液体ポンプを模式的に示したものである。作動部材を下方に押し下げる動作を、図４のａからの方向として、ｂから燃料を吸入して、ｃ方向に燃料を送るのが、液体ポンプ方式であるが、ｃを図１の燃料供給管に繋げることによって、燃料を燃焼部支持管を経て燃焼部に供給することができる。
【００４５】
本発明において、燃料室内の圧力を調整する方法や燃料室への燃料を補充する方法は、従来公知の方法から適宜選択して採用することができる。
【００４６】
燃焼部の形状は、燃料を貯留できればいかなる形状であってもよいことは前術したとおりである。例えば、皿状、筒状等任意に選択できるが、着火機構と対向して、燃料を点火しやすくするという観点からは、着火機構に対して開放された形状であることが好ましい。図１〜３の示した燃焼部は、図５に示すような半円筒部を有する円筒状のものであって、半円筒上部の開放部は着火機構に面している。
【００４７】
燃焼部には、単に燃料を貯留する空間だけでなく、ガラスウールなど不燃性で燃料を含浸しうるものを充填しておいてもよい、このような充填物に、所望の炎色着色性元素を含有させることによって、所望の着色炎を得ることができる。
【実施例】
【００４８】
以下に上記で詳細に説明した本発明のアルコールライターを、実施例を用いてさらに具体的に説明する。本発明は、これらの例によって何ら限定されるものではない。
【００４９】
（実施例１）
飽和硝酸リチウムエタノール溶液を市販のガラスウールに浸し燃焼させた。同様の燃焼をさらに二度行い、その燃焼での残留ガラスウールをエタノールに浸し再度燃焼させた。そのガラスウールを燃焼部（２）の壁面に配置した。燃料室（１）にエタノールを充填して図１に示すようなライター構造を形成させた。
押し込み操作により加圧室（４２）から空気を所定量燃料室（１）に導入することにより、内部のエタノールを燃焼部（２）に誘導する。従来公知の発火石（３２）の手法で着火すると、エタノールの燃焼に伴い瞬時に赤色の炎が現れた。因に、ガラスウールにホウ素成分が含まれる場合は緑色の燃焼炎が形成され、ナトリウムを含む場合は黄色の燃焼炎が形成される。また、カリウムを含む場合は紫色、カルシウムの場合は橙赤色の燃焼炎が形成される。
【００５０】
（実施例２）
飽和塩化リチウムエタノール溶液を市販のガラスウールに浸し燃焼させた。同様の燃焼をさらに二度行い、その燃焼での残留ガラスウールをエタノールに浸し再度燃焼させた。そのガラスウールを燃焼部（２）の壁面に配置した。燃料室（１）にエタノールを充填して、圧電着火部を備えた操作部材（３５、３６）で構成される図２に示すようなライター構造を形成させた。
押し込み操作により加圧室（４２）から空気を所定量燃料室（１）に導入することにより、内部のエタノールを燃焼部（２）に誘導した。着火部（３６）と燃焼部（２）の距離を１０ミリメートル以内として従来公知の電子着火手法で着火すると、エタノールの燃焼に伴い瞬時に赤色の炎が現れた。
【産業上の利用可能性】
【００５１】
本発明により提供されるアルコールライターは、環境問題の少ない燃料を用い、目詰まりや使用時の衣服汚染が少なく、かつ着色炎の発現を可能とするアルコールライターである。
本発明により、赤色や緑色などの燃焼炎を形成できる趣味深いが提供されるので、ライターの付加価値を向上させることができる。
本発明によって、社会環境における取扱い上問題の少ないエタノールなどのアルコールを燃料とするライターが提供される。
【図面の簡単な説明】
【００５２】
【図１】火打石方式着火機構を採用した本発明のアルコールライターの実施態様の一例を示す断面図である。
【図２】着火機構として電子式着火方式を採用した本発明のアルコールライターの実施態様の一例を示す断面図である。
【図３】火打石方式着火機構を採用した本発明のアルコールライターの実施態様の他の例を示す断面図である。
【図４】燃料供給手段の一例としてアルコールポンプの態様を示す模式図である。
【図５】本発明の燃焼部の一例を示す概略図である。
【符号の説明】
【００５３】
１．燃料室
１１．壁体
１２．上蓋
１３．燃料供給管
１４．燃料供給管支持体
１５．燃料溜
２．燃焼部
２１．燃料部固定部材
２２．燃料部支持管
２３．針ゴム
２４．シールリング
２５．スプリング
２６．燃料部支持管開口部
２７．燃料部支持管凹部
３．着火機構
３１．ブラケット
３２．発火石
３３．回転ヤスリ
３４．スプリング
３５．操作部材
３６．操作部材
３７．電極部材
３８．柱状体
３９．スプリング
４．燃料供給手段
４１．操作部材
４２．加圧室
４３．レバー
４４．弁材ゴム
４５．気室
４６．スプリング
４７〜４９.テコ
５．キャップ
５１．ピン
【図１】
2007085580.tif 000003
【図２】
2007085580.tif 000004
【図３】
2007085580.tif 000005
【図４】
2007085580.tif 000006
【図５】
2007085580.tif 000007